(57)【特許請求の範囲】
【請求項１】
バンド又は織物製の帽子からなり頭部に装着される頭部装着体と、
前記頭部装着体に跳ね上げ可能に取り付けられ、マスク時に顔前空間を隔てて顔面を覆うフェイスシールドと、
外部の空気を前記顔前空間に供給する空気供給装置と、
前記空気供給装置の電源と、
前記空気供給装置に向かう空気を洗浄するフィルタと、
マスク時に前記フェイスシールドと顔面との間をシールするシール部材と、
を備え、
前記シール部材は、前記頭部装着体から顔の輪郭に沿って延びるＵ字形の枠体と、前記枠体と顔面との間をシールする布状のシール布と、を備え、
マスク時に前記フェイスシールドが前記枠体に当接する
ことを特徴とするマスク装置。
【請求項２】
前記頭部装着体の少なくとも前側に配置される鍔部と、
前記頭部装着体に跳ね上げ可能に取り付けられ、前記フェイスシールドに固定されたアームと、
前記顔前空間に吹き出す空気を整流するルーバーと、
を備え、
前記鍔部は、前記頭部装着体に固定されると共に前記ルーバーの取り付けられる取付孔を有する後側の後鍔部と、前記後鍔部の前側の前鍔部と、を備え、
前記空気供給装置は、前記後鍔部に固定されており、
前記前鍔部は、前記アームに固定されている
ことを特徴とする請求項１に記載のマスク装置。
【請求項３】
前記電源は、前記空気供給装置から前記顔前空間に向かう空気が通流する流路に配置されている
ことを特徴とする請求項１又は請求項２に記載のマスク装置。
【発明の詳細な説明】
【技術分野】
【０００１】
本発明は、マスク装置に関する。
【背景技術】
【０００２】
従来、ＡＢＳ樹脂製のヘルメット本体に顔面を覆うバイザーを備える産業用（工場用）の防薬・防塵用安全ヘルメットが知られている（特許文献１参照）。
【先行技術文献】
【特許文献】
【０００３】
【特許文献１】実開平２−１０６４３５号公報
【発明の概要】
【発明が解決しようとする課題】
【０００４】
しかしながら、例えば、２０２０年のコロナ禍におけるウイルス感染の防止や、花粉、ＰＭ２．５の吸入を防止するために、特許文献１の防薬・防塵用安全ヘルメットは大きすぎ、日常生活において装着するには不向きであった。
【０００５】
そこで、本発明は、日常において容易に装着可能なマスク装置を提供することを課題とする。
【課題を解決するための手段】
【０００６】
前記課題を解決するための手段として、本発明は、バンド又は織物製の帽子からなり頭部に装着される頭部装着体と、前記頭部装着体に跳ね上げ可能に取り付けられ、マスク時に顔前空間を隔てて顔面を覆うフェイスシールドと、外部の空気を前記顔前空間に供給する空気供給装置と、前記空気供給装置の電源と、前記空気供給装置に向かう空気を洗浄するフィルタと、マスク時に前記フェイスシールドと顔面との間をシールするシール部材と、を備え、前記シール部材は、前記頭部装着体から顔の輪郭に沿って延びるＵ字形の枠体と、前記枠体と顔面との間をシールする布状のシール布と、を備え、マスク時に前記フェイスシールドが前記枠体に当接することを特徴とするマスク装置である。
【０００７】
このような構成によれば、頭部装着体は、バンド又は織物製の帽子から構成されているので、ＡＢＳ樹脂製のヘルメット本体に対して、軽量かつ簡易である。したがって、頭部装着体を頭部に容易に装着でき、そして、マスク装置を日常において容易に装着できる。また、マスク時にフェイスシールドが顔前空間を隔てて顔面を覆うので、ウイルス、花粉、ＰＭ２．５等が顔前空間に侵入し難くなり、ウイルス感染等を防止できる。さらに、電源からの電力で駆動する空気供給装置が、フィルタで洗浄された外部の空気を顔前空間に供給できる。
【０００８】
このような構成によれば、マスク時に、フェイスシールドが枠体に当接し、そして、布状のシール布が枠体と顔面との間をシールするので、顔前空間をシールできる。
【００１２】
また、前記頭部装着体の少なくとも前側に配置される鍔部と、前記頭部装着体に跳ね上げ可能に取り付けられ、前記フェイスシールドに固定されたアームと、前記顔前空間に吹き出す空気を整流するルーバーと、を備え、前記鍔部は、前記頭部装着体に固定されると共に前記ルーバーの取り付けられる取付孔を有する後側の後鍔部と、前記後鍔部の前側の前鍔部と、を備え、前記空気供給装置は、前記後鍔部に固定されており、前記前鍔部は、前記アームに固定されている構成としてもよい。
【００１３】
このような構成によれば、フェイスシールドはアームに固定されているので、フェイスシールドがアームを介して頭部装着体に対して跳ね上げ可能となる。そして、ルーバーによって、顔前空間に吹き出す空気を整流できる。また、鍔部は頭部装着体に固定され、空気供給装置は鍔部に固定されているので、空気供給装置が跳ね上がることはない。これにより、空気供給装置は、頭部に近づき難くなり、頭髪の巻き込み等が防止され易くなる。
【００１４】
また、前記電源は、前記空気供給装置から前記顔前空間に向かう空気が通流する流路に配置されている構成としてもよい。
【００１５】
このような構成によれば、空気供給装置から顔前空間に向かう空気によって、電源を冷却できる。
【発明の効果】
【００１６】
本発明によれば、日常において容易に装着可能なマスク装置を提供することができる。
【図面の簡単な説明】
【００１７】
【図１】第１参考形態に係るマスク装置の斜視図であり、マスク時（フェイスシールドの使用時）を示している。
【図２】第１参考形態に係るマスク装置の左側面図であり、マスク時を示している。
【図３】第１参考形態に係るマスク装置の左側面図であり、跳ね上げ時（フェイスシールドの非使用時）を示している。
【図４】第１実施形態に係るマスク装置を構成するファンユニットの断面図（図１のＸ１−Ｘ１線断面図）である。
【図５】第１参考形態に係るマスク装置を構成するファンユニットの分解斜視図である。
【図６】第１実施形態に係るマスク装置の左側面図であり、マスク時を示している。
【図７】第１実施形態に係るマスク装置の左側面図であり、跳ね上げ時を示している。
【図８】第２参考形態に係るマスク装置の左斜視図であり、マスク時を示している。
【図９】第２参考形態に係るマスク装置の左側面図であり、跳ね上げ時を示している。
【図１０】第２参考形態に係るマスク装置の平面図あり、マスク時を示している。
【図１１】第２実施形態に係るマスク装置を構成するファンユニットの断面図である。
【発明を実施するための形態】
【００１８】
≪第１参考形態≫
本発明の第１参考形態について、図１〜図５を参照して説明する。ここで、図１の「前、後、左、右、上、下」を基準として説明する。
【００１９】
≪マスク装置の構成≫
マスク装置１は、人間の頭部に装着され、フェイスシールド５１が顔前空間Ｓを隔てて顔面Ｆを覆うことで、ウイルス等を遮断し、感染等を防止する装置である。顔前空間Ｓは、マスク時に、フェイスシールド５１と顔面Ｆと間に形成される空間である。マスク装置１は、バンド１１と、鍔部１２と、フェイスシールド５１と、シール部材６１と、２本のアーム７１、７１と、ファンユニット１０１と、を備えている。
【００２０】
＜バンド＞
バンド１１は、長尺である布製の帯状体であって、人間の頭部に卷回されることで頭部に装着される頭部装着体である（図１〜図３参照）。バンド１１には、頭部の大きさに対応して、長さを調整するための図示しないバックル（長さ調整器）が設けられている。
【００２１】
＜鍔部＞
鍔部１２は、バンド１１の前側に配置された１／２円板状の部分であって、フェイスシールド５１が下ろされ顔面Ｆを覆うマスク時において、バンド１１の前側から前方に突出している。このように前方に突出した鍔部１２が、例えば晴天時、日差しを遮るようになっている。
【００２２】
鍔部１２は、前側の前鍔部１３と、後側の後鍔部１４と、を備えている。すなわち、鍔部１２は、前後方向において分割されており、その分割線は、前側に突出する１／２円弧状である。前鍔部１３、後鍔部１４は、例えば、板状の芯材と、芯材の表面を被覆しクッション性を有する織物地と、を備えて構成されている。織物は、例えば糸を縦横に組み合わせて作った布地である。
【００２３】
＜鍔部−後鍔部＞
後鍔部１４は、平面視で前側が突出した三日月状（弓状）の部分である。後鍔部１４の後端部は、バンド１１に固定されており、跳ね上がることはない。後鍔部１４の中央部分には左右方向に延びる矩形状の取付孔１４ａ（図５参照）が形成されている。取付孔１４ａは、後記するルーバー１５１が取り付けられる孔である。
【００２４】
＜鍔部−前鍔部＞
前鍔部１３は、マスク時において、平面視で前側が突出した三日月状（弓状）の部分である。前鍔部１３の左右方向の各後端部は、フェイスシールド５１を介してアーム７１に固定されている。
【００２５】
＜フェイスシールド＞
フェイスシールド５１は、マスク時に、顔前空間Ｓを隔てて、顔面Ｆを覆うシールドである。フェイスシールド５１は、概ね１／４球形殻状であり、その上端部は前鍔部１３の下面に固定されている。フェイスシールド５１は、透明な合成樹脂（例えば、ポリカーボネート、ポリエチレンテレフタレート）で形成されており、マスク時において外部を視認可能となっている。
【００２６】
また、フェイスシールド５１の外面には、紫外線を遮断する紫外線カット層（ＵＶカット層）が形成されており、紫外線が遮断されるようになっている。さらに、例えば、フェイスシールド５１の下部の外面に、デザイン（模様）を施し、意匠性を高めてもよい。このようにデザイン（不透明部分）を形成することで、顔面Ｆの一部を隠すこともできる。この場合において、例えば、デザインが子供等間で流行りのキャラクターを模倣したものであるとき、子供等が自ずからマスク装置１を装着し易くなる。
【００２７】
＜シール部材＞
シール部材６１は、マスク時において、フェイスシールド５１の後端部５２及び顔面Ｆの間をシールする部材である。シール部材６１は、概ねＵ字形であり、フェイスシールド５１の後端部５２の内面から顔面Ｆに向かって突出している。シール部材６１は、弾性材料（シリコーン等）から形成されており、顔面Ｆと良好に密着するようになっている。
【００２８】
このように、シール部材６１がフェイスシールド５１の後端部５２及び顔面Ｆの間をシールすることにより、ウイルス等がフェイスシールド５１内に侵入せず、感染等が防止されるようになっている。また、後記する軸流ファン１２２からの空気が、フェイスシールド５１内で滞留し易くなる。
【００２９】
シール部材６１の左側／右側の上端部には、シール部材６１内外を連通させる切欠部６２が形成されている。切欠部６２は、眼鏡、サングラス等のテンプル（つる）が挿通される部分である。これにより、眼鏡、サングラス等を装着したまま、シール部材６１が顔面Ｆに良好に密着するようになっている。
【００３０】
＜アーム＞
アーム７１、７１は、フェイスシールド５１をバンド１１に対して跳ね上げ可能とする細長の部材である。アーム７１は、バンド１１の左側、右側にそれぞれ配置されている（図１参照）。アーム７１の後端部は、回動軸部材７２を介して、バンド１１の左側部／右側部に、それぞれ回動自在に固定されている。つまり、アーム７１は、バンド１１に跳ね上げ可能に取り付けられている。アーム７１、７１の前端部は、フェイスシールド５１の左側／右側の後端部５２の上端に固定されている。
【００３１】
これにより、フェイスシールド５１及び前鍔部１３は、２本のアーム７１、７１を介して、バンド１１に対して回動可能となっている。すなわち、フェイスシールド５１及び前鍔部１３は、バンド１１に対して跳ね上げ可能に取り付けられている。そして、フェイスシールド５１及び前鍔部１３は、フェイスシールド５１が下ろされ顔面Ｆを覆うマスク時（図２参照）と、フェイスシールド５１が跳ね上げれる跳ね上げ時（図３参照）とを切り替えて使用可能となっている。
【００３２】
また、アーム７１とバンド１１との回動支持部分に、例えば、跳ね下げ位置／跳ね上げ位置でアーム７１を一時的に固定するストッパ機構を備えてもよい。さらに、回動支持部分にラチェット機構を備え、跳ね上げ角度を調整可能とする構成としてもよい。
【００３３】
＜ファンユニット＞
ファンユニット１０１は、外部の空気を吸気して顔前空間Ｓに供給するユニットであり、後鍔部１４に固定されている。図４、図５に示すように、ファンユニット１０１は、フィルタ１１１と、フィルタホルダ１１２と、軸流ファンユニット１２１と、ダクト１３１（流路形成部材）と、バッテリ１４１（電源）と、ルーバー１５１と、を備えている。
【００３４】
空気の通流方向において、上流側から下流側に向かって、フィルタ１１１及びフィルタホルダ１１２、軸流ファンユニット１２１、ダクト１３１及びバッテリ１４１、ルーバー１５１の順で配置されている。
【００３５】
ファンユニット１０１は、概ね薄板状の外形であり、後鍔部１４に固定されている。すなわち、ファンユニット１０１は、跳ね上がることはない。これにより、軸流ファンユニット１２１等が頭髪に近づくことはなく、頭髪の巻き込みが防止されている。
【００３６】
＜ファンユニット−フィルタ、フィルタホルダ＞
フィルタ１１１は、吸気され軸流ファンユニット１２１に向かう外部の空気を洗浄（濾過）するフィルタであり、例えば、防塵フィルタ、不織布、活性炭シートで構成されている。外部からの空気がフィルタ１１１を通過することで、空気中のウイルス、粉塵等が除去され、洗浄されるようになっている。
【００３７】
フィルタホルダ１１２は、フィルタ１１１を上下から挟持することで保持するホルダである。ここでは、フィルタホルダ１１２は、フィルタ１１１の上側に配置される上ハーフ１１３と、フィルタ１１１の下側に配置される下ハーフ１１４と、を備えている。上ハーフ１１３には空気の流路となる複数のスリット１１３ａが形成されており、下ハーフ１１４には複数のスリット１１４ａが形成されている。
【００３８】
上ハーフ１１３と下ハーフ１１４とは、例えば、上ハーフ１１３の係合爪が下ハーフ１１４の係合孔に係合することで挟持状態が維持されるようになっている。また、係合爪が係合孔から脱離することで、上ハーフ１１３と下ハーフ１１４とが分離し、フィルタ１１１を交換可能となっている。
【００３９】
＜ファンユニット−軸流ファンユニット＞
軸流ファンユニット１２１は、外部の空気を吸気し、顔前空間Ｓに供給するユニットである。軸流ファンユニット１２１は、２つの軸流ファン１２２、１２２（空気供給装置）と、筐体１２３と、を備えている。
【００４０】
軸流ファン１２２は、駆動することで空気の流れを生成し供給する空気供給装置である。２つの軸流ファン１２２は、低騒音で駆動し、空気の通流方向にファン（羽根車）の回転軸が配置されており、空気の通流方向において薄型で構成されている。２つの軸流ファン１２２、１２２は、左右に配置され、空気の通流方向に対して並列で配置されている。
【００４１】
軸流ファン１２２は、電源ケーブル（図示しない）を介して、バッテリ１４１に接続されており、バッテリ１４１からの電力で駆動するようになっている。電源ケーブルには、軸流ファン１２２の回転速度を制御するインバータ回路（電子回路）が設けられている。そして、使用者がインバータ回路を操作することで、軸流ファン１２２の回転速度が制御され、空気の流量が０を含めて制御されるようになっている。
【００４２】
筐体１２３は、２つの軸流ファン１２２、１２２を所定位置で保持する薄板状のホルダである。筐体１２３には、左右に並んだ２つの通流孔１２３ａ、１２３ａが形成されている。各通流孔１２３ａは、空気の流路であると共に、軸流ファン１２２をそれぞれ収容している。
【００４３】
＜ファンユニット−ダクト＞
ダクト１３１は、軸流ファンユニット１２１とルーバー１５１と間における空気の流路を形成する流路形成部材であり、ここでは四角枠状である。すなわち、ダクト１３１内が、軸流ファンユニット１２１からルーバー１５１に向かう空気の流路となっている。
【００４４】
＜ファンユニット−バッテリ＞
バッテリ１４１は、軸流ファンユニット１２１の電源である。バッテリ１４１は、例えば、リチウムイオン型、ニッケル水素型の二次電池で構成されており、充電／放電可能である。つまり、バッテリ１４１は繰り返して使用可能である。
【００４５】
バッテリ１４１は、ここでは、薄型の四角柱状を呈しており、ダクト１３１に左右方向中央で前後方向に延びており、ダクト１３１に着脱可能に取り付けられている。すなわち、バッテリ１４１は、ダクト１３１内の空気流路を左右に分割している。つまり、バッテリ１４１は、軸流ファンユニット１２１からルーバー１５１（顔前空間Ｓ）に向かう空気が通流する流路に配置されている。これにより、バッテリ１４１が、ダクト１３１内を通流する空気によって良好に冷却されるようになっている。
【００４６】
＜ファンユニット−ルーバー＞
ルーバー１５１は、顔前空間Ｓに吹き出す空気を整流する整流器である。ルーバー１５１は、左右方向において２列で、前後方向において複数列で配列した複数のフィン１５２を備えている。各フィン１５２は、左右方向に延びる回動軸を中心として回動可能に構成されており、各フィン１５２を回動させることで、ルーバー１５１から顔前空間Ｓに向かう空気の吹き出し方向を調整可能となっている。なお、空気の吹き出し方向を若干前向きにすることで、ドライアイを防止できる。
【００４７】
≪マスク装置の動作・効果≫
次に、マスク装置１の動作・効果を説明する。
布製のバンド１１（頭部装着体）を頭部に卷回することで、マスク装置１を容易に装着できる。また、バンド１１は、従来のＡＢＳ樹脂製のヘルメット本体に対して、軽量かつ簡易な構成である。これにより、マスク装置１は、産業用マスクと同様の防護力を発揮しつつ、不織布製、布製等の一般用衛生マスクと同様に簡便に取り扱い、日常において容易に装着できる。
【００４８】
＜マスク時＞
次に、フェイスシールド５１が下ろされ、フェイスシールド５１が顔前空間Ｓを隔てて顔面Ｆを覆うマスク時について説明する（図２参照）。シール部材６１は顔面Ｆに良好に密着している。これにより、外部の空気中のウイルス、花粉、ＰＭ２．５等が顔前空間Ｓに侵入せず、使用者がウイルス等に感染することはない。
【００４９】
また、駆動する軸流ファン１２２が、外部の空気を吸い込み、顔前空間Ｓに供給するので、使用者が息苦しくなることもない。また、フィルタ１１１が吸い込まれる空気を洗浄するので、ウイルス、花粉、ＰＭ２．５等が顔前空間Ｓに供給されることはない。さらに、ルーバー１５１が空気を整流するので、空気が顔前空間Ｓに良好に供給される。
【００５０】
＜跳ね上げ時＞
次に、フェイスシールド５１が跳ね上げられ、顔前空間Ｓが外部に開放されている跳ね上げ時について説明する（図３参照）。ここで、跳ね上げられる場合は、例えば、室内等で飛沫感染する虞のない場合、食事等する場合である。
【００５１】
使用者は、例えばフェイスシールド５１の下部を把持しながら上方に移動させて、フェイスシールド５１、前鍔部１３及びアーム７１をバンド１１に対して回動させる。そうすると、フェイスシールド５１が、跳ね下げ状態（マスク時）から跳ね上げ状態に容易に切り替わる。すなわち、衛生マスク等における紐状の耳掛け部を耳から外す等の作業をすることなく、顔面Ｆが開放された状態に切り替えできる。
【００５２】
このように、フェイスシールド５１が跳ね上げられているので、顔面Ｆが外部に開放された素面状態となる。これにより、使用者は圧迫感を受けず、開放感を得ることができる。また、使用者は、フェイスシールド５１に邪魔されることなく飲食等できる。
【００５３】
≪変形例≫
以上、本発明の一参考形態について説明したが、本発明はこれに限定されず、例えば、次のように変更してもよいし、後記する実施形態、参考形態の構成と適宜に組み合わせてもよい。
【００５４】
前記した参考形態では、２つの軸流ファン１２２を備える構成を例示したが、その他に例えば、１つの軸流ファン１２２を備える構成としてもよいし、３つ以上の軸流ファン１２２を備える構成としてもよい。
【００５５】
前記した参考形態では、頭部装着体がバンド１１である構成を例示したが、その他に例えば、頭部装着体が後記するキャップ本体２１（図６、図７参照）である構成としてもよい。また、頭部装着体が、ハンチング帽やキャスケットである構成としてもよい。
【００５６】
前記した参考形態では、フェイスシールド５１がアーム７１に固定された構成を例示したが、その他に例えば、フェイスシールド５１が前鍔部１３に固定され、前鍔部１３がアーム７１に固定された構成としてもよい。すなわち、フェイスシールド５１が、前鍔部１３、アーム７１を介して、バンド１１に対して回動可能である構成としてもよい。
【００５７】
前記した参考形態では、バッテリ１４１がダクト１３１内で軸流ファン１２２とルーバー１５１との間に配置された構成を例示したが、バッテリ１４１の位置はこれに限定されない。例えば、バッテリ１４１がバンド１１の後側に着脱自在に取り付けられた構成としてもよい。
【００５８】
前記した参考形態では、鍔部１２を備え、軸流ファン１２２が後鍔部１４に固定された構成を例示したが、その他に例えば、鍔部１２を備えず、軸流ファン１２２がバンド１１（頭部装着体）に固定された構成としてもよい。
【００５９】
前記した参考形態では、空気供給装置が軸流ファン１２２である構成を例示したが、その他に例えば、後記するブロワ１２４（図１１参照）、シロッコファン等である構成としてもよい。
【００６０】
前記した参考形態では、軸流ファン１２２の電源が充電／放電可能なバッテリ１４１（二次電池）である構成を例示したが、その他に例えば、一次電池（アルカリマンガン電池、オキシライド電池、ニッケル電池等）である構成としてもよい。
【００６１】
≪第１実施形態≫
本発明の第１実施形態について、図６〜図７を参照して説明する。
【００６２】
＜キャップ＞
第１実施形態に係るマスク装置２は、バンド１１及び鍔部１２に代えて、織物製のキャップ２０を備えている。キャップ２０は、キャップ本体２１（頭部装着体）と、鍔部２２と、を備えている。
【００６３】
＜キャップ−キャップ本体＞
キャップ本体２１は、半球殻状体であって、人間の頭部に被さることで頭部に装着される帽子（頭部装着体）である。キャップ本体２１は、織物製であって、頭部の大きさに対応して、内径を調整するアジャスター（図示しない）を備えている。
【００６４】
＜キャップ−鍔部＞
鍔部２２は、キャップ本体２１の前側に配置された１／２円板状の部分である。鍔部２２は、第１参考形態に係る鍔部１２と異なり、前後方向おいて分割されておらず、一体である。鍔部２２の左右方向の各後端部はアーム７１の前端部に固定されている。
【００６５】
アーム７１の後端部は、回動軸部材７２を介して、キャップ本体２１の左側部／右側部に、それぞれ回動自在に固定されている。鍔部２２の上面には、ファンユニット１０１が固定されている。なお、鍔部２２には、ルーバー１５１が取り付けられる取付孔（図示しない）が形成されている。鍔部２２の下面には、フェイスシールド５１の上端が固定されている。
【００６６】
これにより、鍔部２２、フェイスシールド５１及びファンユニット１０１は、アーム７１、７１を介して、キャップ本体２１に対して、一体で回動自在に構成されれている。すなわち、鍔部２２、フェイスシールド５１及びファンユニット１０１は、一体で、マスク時（図６参照）と跳ね上げ時（図７参照）とで切り替わるように構成されている。
【００６７】
＜シール部材＞
マスク装置２は、シール部材６１に代えて、シール部材６５を備えている。シール部材６５を備えている。シール部材６５は、枠体６６と、シール布６７と、を備えている。
【００６８】
＜シール部材−枠体＞
枠体６６は、キャップ本体２１から顔の輪郭に沿って延びる部材であって、正面視でＵ字形ある。すなわち、枠体６６は、左右方向において所定間隔で配置されると共に上下方向に延びる一対の縦枠部６６ａ、６６ａと、縦枠部６６ａ、６６ａの下端を連結する半円弧状の横枠部６６ｂと、を備えている。なお、枠体６６は、使用者の顔の輪郭に沿って変形可能な構成であることが好ましい。例えば、枠体６６は、変形可能であって芯材となる金属製の枠材と、枠材を被覆するウレタン製等の被覆材と、を備えて構成されている。
【００６９】
各縦枠部６６ａの上端は、キャップ本体２１に固定されている。これにより、フェイスシールド５１が跳ね上げられたとしても、枠体６６は跳ね上がることはない。
【００７０】
また、フェイスシールド５１が下ろされるマスク時において、フェイスシールド５１は、枠体６６に当接するように構成されている。すなわち、マスク時において、フェイスシールド５１と枠体６６の間に隙間が形成されず、外部のウイルス等がフェイスシールド５１内に侵入し難くなっている。
【００７１】
なお、フェイスシールド５１と枠体６６との当接部には、パッキン構造体（図示しない）が設けられており、マスク時（当接時）、フェイスシールド５１と枠体６６とが良好に密着するようになっている。パッキン構造体は、例えば、フェイスシールド５１の縁に沿ってに設けられシリコーン等の弾性材料で形成された被差込部（凸部）と、枠体６６に設けられ前記被差込部が差し込まれる差込溝（凹部）と、を備えて構成される。その他、フェイスシールド５１に金属製のマグネット受を設け、枠体６６にマグネット（永久磁石）を設け、マグネット受及びマグネットが吸着する構成としてもよい。また、フェイスシールド５１及び枠体６６に面ファスナーがそれぞれ設けられた構成としてもよい。
【００７２】
＜シール部材−シール布＞
シール布６７は、枠体６６と顔面Ｆとの間の隙間をシールする帯状の布材である。すなわち、シール布６７の幅方向において、シール布６７の一端は枠体６６に固定されており、シール布６７の他端は枠体６６から顔面Ｆに向かって延びている。このようにシール布６７が枠体６６と顔面Ｆとの間をシールするので、外部のウイルス等がフェイスシールド５１内に侵入し難くなっている。
【００７３】
≪第２参考形態≫
本発明の第２参考形態について、図８〜図１０を参照して説明する。
【００７４】
＜ハット＞
第２参考形態に係るマスク装置３は、バンド１１及び鍔部１２に代えて、ハット３０を備えている。ハット３０は、織物製であって、ハット本体３１（頭部装着体）と、鍔部３２と、を備えている。
【００７５】
＜ハット−ハット本体＞
ハット本体３１は、半球殻状体であって、人間の頭部に被さることで頭部に装着される帽子（頭部装着体）である。
【００７６】
＜ハット−鍔部＞
鍔部３２は、ハット本体３１の前側を含む全周側に配置されたリング板状の部分である（図１０参照）。鍔部３２は、ハット本体３１に固定されている固定側鍔部３３と、ハット本体３１に対して可動し跳ね上げ可能である可動側鍔部３４と、を備えている（図８、図９、図１０参照）。
【００７７】
固定側鍔部３３は、前側に切欠部３３ａ（図１０参照）を有する略リング板状の部分であり、ハット本体３１に固定されている。そして、固定側鍔部３３には、ファンユニット１０１が固定されている。
【００７８】
可動側鍔部３４は、マスク時に切欠部３３ａに配置される舌片状の部分ある（図１０参照）。可動側鍔部３４の下面にフェイスシールド５１が固定されており、フェイスシールド５１にアーム７１の前端部が固定されている。これにより、可動側鍔部３４及びフェイスシールド５１は、アーム７１を介してハット本体３１に対して回動可能となっている（図８、図９参照）。
【００７９】
≪変形例≫
前記した参考形態では、フェイスシールド５１がアーム７１に固定された構成を例示したが、その他に例えば、フェイスシールド５１が可動側鍔部３４に固定され、可動側鍔部３４がアーム７１に固定された構成としてもよい。すなわち、フェイスシールド５１が、可動側鍔部３４、アーム７１を介して、ハット本体３１に対して回動可能である構成としてもよい。
【００８０】
前記した参考形態では、フェイスシールド５１及び可動側鍔部３４が一体で回動する構成を例示したが、その他に例えば、可動側鍔部３４を備えず、鍔部３２の前側にフェイスシールド５１が遊挿自在な円弧状のスリットを形成し、このスリットをフェイスシールド５１が遊挿しながら、フェイスシールド５１が回動する構成としてもよい。
【００８１】
≪第２実施形態≫
本発明の第２実施形態について、図１１を参照して説明する。
【００８２】
＜ファンユニット＞
第２実施形態に係るマスク装置４は、ファンユニット１０１に代えて、ファンユニット１０２を備えている。ファンユニット１０２は、フィルタ１１５と、ブロワ１２４と、ダクト１３２（流路形成部材）と、バッテリ１４１と、ルーバー１５１と、を備えている。
【００８３】
＜ファンユニット−フィルタ＞
フィルタ１１５は、ブロワ１２４に吸い込まれる空気を洗浄するフィルタである。すなわち、フィルタ１１５は、ブロワ１２４の吸気口に固定されている。
【００８４】
＜ファンユニット−ブロワ＞
ブロワ１２４は、外部の空気を吸気し、顔前空間Ｓに供給する空気供給装置である。ブロワ１２４は、電源ケーブル（図示しない）を介して、バッテリ１４１に接続されている。そして、ブロワ１２４は駆動すると、外部の空気を吸気して圧縮し、所望の圧縮比で吐出するようになっている。
【００８５】
＜ファンユニット−ダクト＞
ダクト１３２は、ブロワ１２４とルーバー１５１と間における空気の流路を形成する流路形成部材である。ダクト１３２は、ブロワ１２４からルーバー１５１に向かうにつれて流路断面積が徐々に大きくなるように、概ね円錐殻状である。これにより、ブロワ１２４からの空気が、ルーバー１５１全体に供給されるようになっている。
【００８６】
バッテリ１４１は、ブロワ１２４及びルーバー１５１の間であって、ブロワ１２４からの空気の吐出方向線上に配置されている。なお、バッテリ１４１は、ダクト１３２に固定されたバッテリドック（図示しない）に着脱自在に取り付けられている。これにより、ブロワ１２４からの空気によってバッテリ１４１を良好に冷却しつつ（矢印Ａ１参照）、空気がバッテリ１４１に衝突することで分岐し（矢印Ａ２参照）、ルーバー１５１全体に供給され易くなっている。なお、ダクト１３２内には、ブロワ１２４からの空気を撹拌させ、ルーバー１５１全体に向かわせる複数のフィン（図示しない）が設けられている。
【符号の説明】
【００８７】
１      マスク装置
１１    バンド（頭部装着体）
１２    鍔部
１４ａ  取付孔
５１    フェイスシールド
６１    シール部材
７１    アーム
１１１  フィルタ
１２２  軸流ファン（空気供給装置）
１４１  バッテリ（電源）
１５１  ルーバー
Ｆ      顔面
Ｓ      顔前空間
【要約】
【課題】  日常において容易に装着可能なマスク装置を提供する。
【解決手段】  バンド１１と、バンド１１に跳ね上げ可能に取り付けられ、マスク時に顔前空間Ｓを隔てて顔面Ｆを覆うフェイスシールド５１と、外部の空気を顔前空間Ｓに供給する軸流ファン１２２と、軸流ファン１２２の電源であるバッテリ１４１と、軸流ファン１２２に向かう空気を洗浄するフィルタ１１１と、を備える。また、バンド１１の前側に配置される鍔部１２と、バンド１１に跳ね上げ可能に取り付けられ、フェイスシールド５１に固定されたアーム７１と、顔前空間Ｓに吹き出す空気を整流するルーバー１５１と、を備え、鍔部１２は、バンド１１に固定されると共に、ルーバー１５１の取り付けられる取付孔１４ａを有し、軸流ファン１２２は、鍔部１２に固定されている。
【選択図】図１【図１】
0006973723.tif 000002
【図２】
0006973723.tif 000003
【図３】
0006973723.tif 000004
【図４】
0006973723.tif 000005
【図５】
0006973723.tif 000006
【図６】
0006973723.tif 000007
【図７】
0006973723.tif 000008
【図８】
0006973723.tif 000009
【図９】
0006973723.tif 000010
【図１０】
0006973723.tif 000011
【図１１】
0006973723.tif 000012